(57)【要約】      （修正有）【課題】複数の各企業の社名、ロゴマーク、ホームページアドレス、検索カテゴリーを印刷した、宣伝広告媒体となる、紙製及びビニール素材の手提げ袋を提供する。【解決手段】各企業が、一つの紙製及びビニール素材の手提げ袋に、業種・業界をとわず、（ａ）（ｂ）−２・２ａ部分に複数宣伝広告を印刷、（ｄ）−８にＱＲコードを印刷する事により、一社当たりの経済的負担の飛躍的な軽減、及び資源の大量消費の抑制効果が得られる。環境問題の観点に於いても、大きく貢献する事ができる。【選択図】図１
0003124958.tif 000002
【実用新案登録請求の範囲】
【請求項１】
紙製及びビニール素材の手提げ袋の正面、背面、側面に、罫線で複数区切ったマス目枠を、複数の各企業に提供し各企業の持つパソコン及び携帯電話から見る事ができるホームページアドレス、検索カテゴリーの文言を印刷し、検索結果のトップページ、又は上位ページもしくは、直接各企業のホームページに到達し、閲覧する事を目的とした、宣伝広告媒体としての紙製及びビニール素材の手提げ袋である。
【請求項２】
バッグ本体の資材については、紙・ビニール・布・紙に樹脂及びプラスチックフィルムを加工しコ−ティングを施したもの。提げ手部分については、紙・ビニール・布・紙に樹脂及びプラスチックフィルムを加工しコ−ティングを施したもの。
形状については、一切の大きさ・材質・色彩・デザインの全てを問わない。
印刷方法については、ホットスタンピング工法等により転写箔を転写する方法も含む概念として用いられる。
【考案の詳細な説明】
【技術分野】
【０００１】本考案は、複数の各企業の社名、ロゴマーク、ホームページアドレス、検索カテゴリーを印刷した、宣伝広告媒体となる、紙製及びビニール素材の手提げ袋である。
【技術背景】
【０００２】従来、業種、業界を問わず、自社の用意した紙製及びビニール素材の手提げ袋には、自社の企業名、ロゴマーク、ホームページアドレス、電話番号、所在地を印刷し、自社のみの宣伝広告媒体に過ぎなかった。
【考案の開示】
【０００３】紙製及びビニール素材の手提げ袋自体の値段に加え、印刷代等、自社のみで完結する事による経済的負担が大きく、量販店並びにチェーン展開している企業に於いては、紙製及びビニール素材の手提げ袋の大量消費も環境問題の観点から見て、無視出来ない。
【課題を解決するための手段】
【０００４】本考案は各企業が、一つの紙製及びビニール素材の手提げ袋に、業種・業界をとわず、図１〜６（ａ）（ｂ）−２・２ａ部分に複数宣伝広告を印刷、図１〜６（ｄ）−８にＱＲコードを印刷する事により、一社当たりの経済的負担の飛躍的な軽減、及び資源の大量消費の抑制効果が得られる。環境問題の観点に於いても、大きく貢献する事ができる。
【考案の効果】
【０００５】各企業の調べたい事項、情報、及び販売品目など、図１〜図６（ｃ）−６部分に入力しても検索件数が場合によっては数万件に達するなど、素早くピックアップするのが非常に困難である。よって各企業は、自社のホームページを検索エンジンのトップページもしくは上位ページに持ってくる事が一番の命題となり又は、直接アクセスして貰う事が、即ちアクセス件数のアップに伴い売上げの効果に直結するものである。さらに図１〜６（ｃ）−５部分に各企業のセールスコメントを入れることで、より販売アップを目的とした各種商品・各種サービスを期間を問わずアピール可能となる。
【考案を実施する為の最良の形態】
【０００６】業種、業界を問わず量販店、小売店にて無償提供される物である。
【実施例】
【０００７】紙製及びビニール素材の手提げ袋は中に物を入れなければ平面だが荷物を入れることにより図１〜図３・図５（ａ）（ｂ）−３部分に厚みが生まれ立方体になり、立体の広告塔となる。【０００８】本考案の、紙製及びビニール素材の手提げ袋を使用する人が荷物を入れて持ち運ぶ最中、職場に持ち込んだとき、家庭に入り込み置かれる行為自体が設置広告の形態となる。【０００９】従来の無料配布されている紙媒体の情報誌は読まれた後、何の用途も無く廃棄されてゴミとなるが袋の形状であれば破損するまで保存され使用され続ける。
【図面の簡単な説明】
【００１０】
【図１】本考案の紙製手提げ袋の実施例を示す正面図及び上端開口部を開けた状態を示す図及び罫線で区切った企業に提供する広告枠の形式である。及び広告枠のマス目の四方に数センチのふちをとり広告を印刷するスペースを設けた図である。
【図２】本考案の紙製手提げ袋の実施例を示す正面図及び上端開口部を開けた状態を示す図及び罫線で区切った企業に提供する広告枠の形式である。
【図３】本考案の紙製及びビニール素材の実施例を示す正面図及び上端開口部を開けた状態を示す図及び罫線で区切った企業に提供する広告枠の形式である。及び広告枠のマス目の四方に数センチのふちをとり広告を印刷するスペースを設けた図である。
【図４】本考案の紙製及びビニール素材の実施例を正面図及び罫線で区切った企業に提供する広告枠の形式である。及び広告枠のマス目の四方に数センチのふちをとり広告を印刷するスペースを設けた図である。
【図５】本考案の紙製及びビニール素材の実施例を示す正面図及び上端開口部を開けた状態を示す図及び罫線で区切った企業に提供する広告枠の形式である。
【図６】本考案の紙製及びビニール素材の実施例を正面図及び罫線で区切った企業に提供する広告枠の形式である。
【符号の説明】
【００１１】１・・・提げ手  ２・・・各企業の広告スペース  ３・・・マチ部分  ４・・・各企業のロゴマーク及び社名スペース  ５・・・ＰＲスペース  ６・・・ホームページアドレス及び企業名及び屋号・商品名スペース  ７・・・検索ボタン図  ８・・・ＱＲコードスペース
【図１】
0003124958.tif 000003
【図２】
0003124958.tif 000004
【図３】
0003124958.tif 000005
【図４】
0003124958.tif 000006
【図５】
0003124958.tif 000007
【図６】
0003124958.tif 000008
【手続補正書】
【提出日】平成18年5月26日(2006.5.26)
【手続補正１】
【補正対象書類名】実用新案登録請求の範囲
【補正対象項目名】全文
【補正方法】変更
【補正の内容】
【実用新案登録請求の範囲】
【請求項１】
少なくとも紙製、ビニール素材及び布素材のいずれかにより構成される手提げ袋の正面、背面、側面に、罫線で複数区切ったマス目枠を、複数の各企業に提供し各企業の持つパソコン及び携帯電話から見る事ができるホームページアドレス、検索カテゴリーの文言を印刷し、検索結果のトップページ、又は上位ページもしくは、直接各企業のホームページに到達し、閲覧する事を目的とした、宣伝広告媒体としての手提げ袋。
【請求項２】
バッグ本体の資材については、紙・ビニール・布に樹脂及びプラスチックフィルムを加工しコーティングを施し、提げ手部分については、紙・ビニール・布・紙に樹脂及びプラスチックフィルムを加工しコ−ティングを施した請求項１に記載の手提げ袋。
【手続補正２】
【補正対象書類名】明細書
【補正対象項目名】全文
【補正方法】変更
【補正の内容】
【考案の詳細な説明】
【技術分野】
【０００１】本考案は、複数の各企業の社名、ロゴマーク、ホームページアドレス、検索カテゴリーを印刷した、宣伝広告媒体となる、紙製及びビニール素材の手提げ袋である。
【技術背景】
【０００２】従来、業種、業界を問わず、自社の用意した紙製及びビニール素材の手提げ袋には、自社の企業名、ロゴマーク、ホームページアドレス、電話番号、所在地を印刷し、自社のみの宣伝広告媒体に過ぎなかった。
【考案の開示】
【０００３】紙製及びビニール素材の手提げ袋自体の値段に加え、印刷代等、自社のみで完結する事による経済的負担が大きく、量販店並びにチェーン展開している企業に於いては、紙製及びビニール素材の手提げ袋の大量消費も環境問題の観点から見て、無視出来ない。
【課題を解決するための手段】
【０００４】本考案は各企業が、一つの紙製及びビニール素材の手提げ袋に、業種・業界をとわず、図１〜６（ａ）（ｂ）−２・２ａ部分に複数宣伝広告を印刷、図１〜６（ｄ）−８にＱＲコードを印刷する事により、一社当たりの経済的負担の飛躍的な軽減、及び資源の大量消費の抑制効果が得られる。環境問題の観点に於いても、大きく貢献する事ができる。
【考案の効果】
【０００５】各企業の調べたい事項、情報、及び販売品目など、図１〜図６（ｃ）−６部分に入力しても検索件数が場合によっては数万件に達するなど、素早くピックアップするのが非常に困難である。よって各企業は、自社のホームページを検索エンジンのトップページもしくは上位ページに持ってくる事が一番の命題となり又は、直接アクセスして貰う事が、即ちアクセス件数のアップに伴い売上げの効果に直結するものである。さらに図１〜６（ｃ）−５部分に各企業のセールスコメントを入れることで、より販売アップを目的とした各種商品・各種サービスを期間を問わずアピール可能となる。
【考案を実施する為の最良の形態】
【０００６】業種、業界を問わず量販店、小売店にて無償提供される物である。
【実施例】
【０００７】紙製及びビニール素材の手提げ袋は中に物を入れなければ平面だが荷物を入れることにより図１〜図３・図５（ａ）（ｂ）−３部分に厚みが生まれ立方体になり、立体の広告塔となる。【０００８】本考案の、紙製及びビニール素材の手提げ袋を使用する人が荷物を入れて持ち運ぶ最中、職場に持ち込んだとき、家庭に入り込み置かれる行為自体が設置広告の形態となる。【０００９】従来の無料配布されている紙媒体の情報誌は読まれた後、何の用途も無く廃棄されてゴミとなるが袋の形状であれば破損するまで保存され使用され続ける。
【図面の簡単な説明】
【００１０】
【図１】本考案の紙製手提げ袋の実施例を示す正面図及び上端開口部を開けた状態を示す図及び罫線で区切った企業に提供する広告枠の形式である。及び広告枠のマス目の四方に数センチのふちをとり広告を印刷するスペースを設けた図である。
【図２】本考案の紙製手提げ袋の実施例を示す正面図及び上端開口部を開けた状態を示す図及び罫線で区切った企業に提供する広告枠の形式である。
【図３】本考案の紙製及びビニール素材の実施例を示す正面図及び上端開口部を開けた状態を示す図及び罫線で区切った企業に提供する広告枠の形式である。及び広告枠のマス目の四方に数センチのふちをとり広告を印刷するスペースを設けた図である。
【図４】本考案の紙製及びビニール素材の実施例を正面図及び罫線で区切った企業に提供する広告枠の形式である。及び広告枠のマス目の四方に数センチのふちをとり広告を印刷するスペースを設けた図である。
【図５】本考案の紙製及びビニール素材の実施例を示す正面図及び上端開口部を開けた状態を示す図及び罫線で区切った企業に提供する広告枠の形式である。
【図６】本考案の紙製及びビニール素材の実施例を正面図及び罫線で区切った企業に提供する広告枠の形式である。
【符号の説明】
【００１１】１・・・提げ手  ２・・・各企業の広告スペース  ３・・・マチ部分  ４・・・各企業のロゴマーク及び社名スペース  ５・・・ＰＲスペース  ６・・・ホームページアドレス及び企業名及び屋号・商品名スペース  ７・・・検索ボタン図  ８・・・ＱＲコードスペース